(57)【要約】【課題】熱源からの熱を炬燵外部へ放散させるのを極力防止すると共に、炬燵内部に反射させて暖房効果の向上を図ること。【解決手段】炬燵やぐらを覆うように、電気ヒータにて発生した熱の放散を抑制する炬燵用内カバー５が設けられ、更にこの炬燵用内カバー５を外方から覆うように炬燵布団７が設けられ、やぐら本体３の上に炬燵用内カバー５及び炬燵布団７を介して卓板８を載置する。炬燵用内カバー５は無底の箱状を呈し、その下端は床面まで延びているが、箱状を呈した下端は前記やぐら本体３を覆う程度の長さでもよい。この炬燵用内カバー５は断熱性が良好な毛布等の布地などから構成されるシート９と、このシート９の内側面に前記電気ヒータからの熱線を炬燵内部に反射させるように接着された金属箔１０とから構成される。【選択図】図１
2009014307.tif 000002
【特許請求の範囲】
【請求項１】
炬燵やぐらに設けた熱源にて発生した熱を外部へ放散するのを抑制するために前記炬燵やぐらと布団との間に配設される炬燵用内カバーにおいて、断熱性を有するシートの内側面に熱源からの熱線を炬燵内部に反射させる反射層を形成したことを特徴とする炬燵用内カバー。
【請求項２】
炬燵やぐらに設けた熱源にて発生した熱を外部へ放散するのを抑制するために前記炬燵やぐらと布団との間に配設される炬燵用内カバーにおいて、断熱性を有するシートの内側面に熱源からの熱線を炬燵内部に反射させる反射層を形成すると共にこの反射層表面を反射角度が異なる複数の面で形成したことを特徴とする炬燵用内カバー。
【発明の詳細な説明】
【技術分野】
【０００１】
本発明は、炬燵やぐらに設けた熱源にて発生した熱を外部へ放散するのを抑制するために前記炬燵やぐらと布団との間に配設される炬燵用内カバーに関するものである。
【背景技術】
【０００２】
炬燵やぐら上に布団などを掛け、その上に卓板を置いて使用するが、炬燵内部の熱が布団などを介して外部へ放散するので熱効率が悪いので、放散を防止すべく炬燵やぐらと布団との間に反熱源側に反射層を形成した炬燵用内カバーを配設する技術が提案されている（例えば、特許文献１参照）。
【特許文献１】特開２００６−１７３２６号公報
【発明の開示】
【発明が解決しようとする課題】
【０００３】
しかし、反熱源側に反射層を形成した炬燵用内カバーでは、炬燵内部の熱が炬燵外部へ放散するのを防止するのに十分なものといえず、熱効率が高いものではなかった。
【０００４】
そこで本発明は、前述せる問題点に鑑み、熱源からの熱を炬燵外部へ放散させるのを極力防止すると共に、炬燵内部に反射させて暖房効果の向上を図ることを目的とする。
【課題を解決するための手段】
【０００５】
このため第１の発明は、炬燵やぐらに設けた熱源にて発生した熱を外部へ放散するのを抑制するために前記炬燵やぐらと布団との間に配設される炬燵用内カバーにおいて、断熱性を有するシートの内側面に熱源からの熱線を炬燵内部に反射させる反射層を形成したことを特徴とする。
【０００６】
第２の発明は、炬燵やぐらに設けた熱源にて発生した熱を外部へ放散するのを抑制するために前記炬燵やぐらと布団との間に配設される炬燵用内カバーにおいて、断熱性を有するシートの内側面に熱源からの熱線を炬燵内部に反射させる反射層を形成すると共にこの反射層表面を反射角度が異なる複数の面で形成したことを特徴とする。
【発明の効果】
【０００７】
本発明によれば、熱源からの熱を炬燵外部へ放散させるのを極力防止すると共に、炬燵内部に反射させて暖房効果の向上を図ることができる。
【発明を実施するための最良の形態】
【０００８】
以下、本発明の炬燵用内カバーを実施するための最良の形態について、図面を参照しながら説明する。図１は本発明の炬燵用内カバーを含む炬燵の縦断面図で、図２は炬燵用内カバーに形成される金属箔の部分平面図、図３は図２のＡ−Ａ断面図である。本発明の炬燵用内カバーは、断熱性を有するシートの内側面に熱源からの熱線を炬燵内部に反射させる反射層を形成すると共にこの反射層表面を反射角度が異なる複数の面で形成したことを特徴とするものであり、以下詳述する。
【０００９】
先ず、図１において、１は室内のカーペットなどの略中央に載置される電気炬燵で、やぐら本体３及びこのやぐら本体３の隅部に設けられた４本の脚２とで炬燵やぐらが形成される。そして、前記やぐら本体３の裏面中央部には下方から吸込んだ空気を放射状に水平方向に送風する送風機及び電気ヒータが設けられ、網目状の保護カバー４で覆われている。従って、この保護カバー４により電気炬燵１の暖房空間Ｓ内に利用者が足や身体を入れたときに前記電気ヒータに直接触れることによる火傷などが起こるのが防止される。
【００１０】
そして、炬燵やぐらを覆うように、前記電気ヒータにて発生した熱の放散を抑制する炬燵用内カバー５が設けられ、更にこの炬燵用内カバー５を外方から覆うように炬燵布団７が設けられ、やぐら本体３の上に炬燵用内カバー５及び炬燵布団７を介して卓板８を載置する。
【００１１】
なお、前記炬燵用内カバー５は無底の箱状（箱の蓋の形状を呈する。）を呈し、その下端は床面まで延びているが、箱状を呈した下端は前記やぐら本体３を覆う程度の長さでもよい。即ち、前記炬燵用内カバー５は前記やぐら本体３裏面に設けられた電気ヒータからの熱が炬燵外部へ放散するのを抑制するためのものであるから、前記やぐら本体３を覆う程度の長さは必要であり、床面まで延びる程の長さであってもよい。
【００１２】
ここで、前記炬燵用内カバー５について詳述すると、この炬燵用内カバー５は断熱性が良好な布地などから構成されるシート９と、このシート９の内側面に前記電気ヒータからの熱線を炬燵内部に反射させるように接着された金属箔１０とから構成される。具体的には、シート９の内側に金属箔１０をアルミ蒸着して、反射層を積層したものである。この場合、前記シート９の外側にも同様に金属箔を積層してもよい。
【００１３】
前記金属箔１０はアルミニウム材料などから作製され、その表面には鏡面加工が施され、しかも金属箔１０の表面を反射角度が異なる複数の面で形成したものである。即ち、図３に示すように、亀甲模様に複数の面で形成され、各点Ｘは高くて各点Ｙは低く、即ち各点Ｘ（平面視６角形の中心）を中心として形成される六面Ｍは点Ｘから外方へ向けて低く傾斜した面として形成される。従って、この複数の複数の傾斜した面Ｍにより乱反射を促進して電気ヒータからの熱線が多方向から利用者の足や身体に当たるようにして、暖房効果を向上させたものである。
【００１４】
従って、前記電気ヒータにて発生した熱が炬燵やぐら内に充満し、これらの熱を炬燵用内カバー５の金属箔１０が炬燵内部に乱反射させ、炬燵布団７と相俟って熱を外部に逃さないようにすると共に乱反射を促進して多方向から熱線が利用者の足や身体に当たるようにして、暖房効果を高めている。
【００１５】
以上、本発明の実施形態について説明してきたが、炬燵用内カバーの形状、シート９と金属箔１０により形成される反射層の材質、この反射層に形成される面の形状や大きさについては適宜選定することができる。
【００１６】
そして、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１７】
【図１】炬燵用内カバーを含む炬燵の縦断面図である。
【図２】炬燵用内カバーに形成される金属箔の部分平面図である。
【図３】図２のＡ−Ａ断面図である。
【符号の説明】
【００１８】
１            電気炬燵
３            やぐら本体
５            炬燵用内カバー
９            シート
１０          金属箔
【図１】
2009014307.tif 000003
【図２】
2009014307.tif 000004
【図３】
2009014307.tif 000005